(57)【要約】  様々なシリンジシステムが開示されている。例示的な１つのシリンジシステムは、中空ルーメンと遠位端とを有するシリンジ本体を含み得る。シリンジ本体は、複数の流体を収容するように構成され得る。シリンジ本体の中空ルーメンに第１のプランジャーが位置決めされて、シリンジ本体の内壁と第１のシールを形成し、及び第１のプランジャーとシリンジの遠位端との間に第１の区画室を形成し得る。シリンジ本体の中空ルーメンにおいて第１のプランジャーの近位方向に第２のプランジャーが位置決めされて、シリンジ本体の内壁と第２のシールを形成し、及び第１のプランジャーと第２のプランジャーとの間に第２の区画室を形成し得る。シリンジ本体の遠位端付近のシリンジ本体の内壁の周囲に複数の凹部が配置され得る。
2016511123.tif 000002
【特許請求の範囲】
【請求項１】
中空ルーメンと遠位端とを備えているシリンジ本体であって、複数の流体を収容するように構成されている前記シリンジ本体と、
前記シリンジ本体の前記中空ルーメンの内部に位置決めされている第１のプランジャーであって、前記シリンジ本体の内壁と共に第１のシールを形成しており、前記第１のプランジャーと前記シリンジ本体の前記遠位端との間に第１の区画室を形成している、前記第１のプランジャーと、
前記シリンジ本体の前記中空ルーメンの内部に且つ前記第１のプランジャーの近位に位置決めされている第２のプランジャーであって、前記シリンジ本体の前記内壁と共に第２のシールを形成しており、前記第１のプランジャーと前記第２のプランジャーとの間に第２の区画室を形成している、前記第２のプランジャーと、
前記シリンジ本体の前記遠位端又はその近傍において前記シリンジ本体の前記内壁及び前記第１のプランジャーの周囲に配置されている流体バイパスであって、第１の流体が、前記流体バイパスを通じて前記第２の区画室に至るまで流れる、前記流体バイパスと、
前記第１のプランジャーが前記第１のシールを形成するように、前記第１のプランジャーを前記流体バイパスに対する近位の位置に至るまで近位方向に移動させるための機構と、
を含むシリンジシステムにおいて、
前記機構が、
前記シリンジ本体の前記遠位端に位置している滑動式エンドキャップと、
前記第１のプランジャーを近位方向に押すように構成されているプッシュロッドと、
スリーブの遠位端又はその近傍に位置しており、且つ、前記第１のプランジャーの少なくとも１つの磁石又は強磁性材料と磁気的に結合している少なくとも１つの磁石を備えているスリーブと、
のうちの１つを備えていることを特徴とするシリンジシステム。
【請求項２】
前記機構が、前記シリンジ本体の前記遠位端の前記内壁を含む円周壁を有している滑動式エンドキャップを備えていることを特徴とする請求項１に記載のシリンジシステム。
【請求項３】
近位方向への力を前記滑動式エンドキャップに加えることによって、前記滑動式エンドキャップを近位方向に滑動させ、前記流体バイパスを液密に封止することを特徴とする請求項２に記載のシリンジシステム。
【請求項４】
前記機構が、前記プッシュロッドを備えており、
前記機構が、前記シリンジ本体の遠位先端に接続されているＴ字状コネクタであって、前記第１のプランジャーと接続するために、前記プッシュロッドを前記第１の区画室の内部に向かって方向づける前記Ｔ字状コネクタをさらに備えていることを特徴とする請求項１に記載のシリンジシステム。
【請求項５】
前記Ｔ字状コネクタが少なくとも１つの流体源と流通していることを特徴とする請求項４に記載のシリンジシステム。
【請求項６】
前記機構が、前記スリーブを備えており、
前記スリーブが、前記スリーブの前記遠位端に又はその近傍に少なくとも１つの前記磁石を備えており、
前記スリーブを近位方向に滑動させることによって、前記第１のプランジャーが、近位方向に滑動されることを特徴とする請求項１に記載のシリンジシステム。
【請求項７】
前記スリーブが、近位方向への力を前記スリーブの外壁に加えることによって、滑動するように構成されていることを特徴とする請求項６に記載のシリンジシステム。
【請求項８】
前記シリンジシステムが、前記スリーブの近位端に又はその近傍に少なくとも１つの近位磁石を備えており、
少なくとも１つの前記近位磁石が、前記第２のプランジャーの磁石又は強磁性材料と磁気的に結合するように構成されていることを特徴とする請求項６に記載のシリンジシステム。
【請求項９】
少なくとも１つの前記近位磁石が、前記第２のプランジャーの前記磁石又は前記強磁性材料と磁気的に結合した場合に、前記第２のプランジャーを近位方向に移動させることによって、前記スリーブ及び前記第１のプランジャーが、近位方向に移動することを特徴とする請求項８に記載のシリンジシステム。
【請求項１０】
前記シリンジシステムが、前記第２のプランジャーに接続されているピストンを備えており、
前記ピストンが、サムピースによって動作されるように構成されていることを特徴とする請求項１に記載のシリンジシステム。
【請求項１１】
前記第１の区画室が、造影剤を収容しており、
前記第２の区画室が、フラッシング流体を収容していることを特徴とする請求項１に記載のシリンジシステム。
【請求項１２】
中空ルーメンと、シリンジ先端を含む遠位端とを備えているシリンジ本体であって、内部に複数の流体を収容するように構成されている前記シリンジ本体と、
前記シリンジ本体の前記中空ルーメンの内部に位置決めされている第１のプランジャーであって、前記シリンジ本体の内壁と共に第１のシールを形成しており、且つ、前記第１のプランジャーと前記シリンジ本体の前記遠位端との間に第１の区画室を形成している、前記第１のプランジャーと、
前記シリンジ本体の前記中空ルーメンの内部に且つ前記第１のプランジャーの近位に位置決めされている第２のプランジャーであって、前記シリンジ本体の前記内壁と共に第２のシールを形成しており、前記第１のプランジャーと前記第２のプランジャーとの間に第２の区画室を形成している、前記第２のプランジャーと、
前記第２の区画室及び前記シリンジ先端と流通している移送管と、
を備えていることを特徴とするシリンジシステム。
【請求項１３】
前記移送管が、前記シリンジ先端と流通している弁を備えていることを特徴とする請求項１２に記載のシリンジシステム。
【請求項１４】
前記シリンジシステムが、前記弁の出口に流通状態で接続されている出口ポートを備えていることを特徴とする請求項１３に記載のシリンジシステム。
【請求項１５】
前記出口ポートが、前記弁の向きに従って、前記第１の区画室及び前記第２の区画室のうち１つ以上の区画室から流体を出すように構成されていることを特徴とする請求項１４に記載のシリンジシステム。
【請求項１６】
前記弁の向きが、
流体が前記シリンジ先端から前記出口ポートに至るまで流れる第１の開放状態と、
流体が前記移送管から前記出口ポートに至るまで流れる第２の開放状態と、
流体が前記シリンジ先端及び前記移送管の両方から前記出口ポートに至るまで流れる第３の開放状態と、
前記シリンジ先端及び前記移送管からの流体の流れが遮断される閉鎖状態と、
のうち一の状態を実現するように構成されていることを特徴とする請求項１５に記載のシリンジシステム。
【請求項１７】
前記シリンジシステムが、前記シリンジ本体の前記遠位端の近傍において前記シリンジ本体の前記内壁の周囲に配置されている複数の凹部を備えていることを特徴とする請求項１２に記載のシリンジシステム。
【請求項１８】
複数の前記凹部が、波状に又は銃眼模様に形成されていることを特徴とする請求項１７に記載のシリンジシステム。
【請求項１９】
前記第１のプランジャーが、複数の前記凹部に接触すると、前記第１のプランジャーと前記シリンジ本体の前記内壁とによって形成されている前記第１のシールが破壊され、前記第２の区画室の流体内容物が前記第１の区画室の内部に向かって遠位方向に流れることを特徴とする請求項１７に記載のシリンジシステム。
【請求項２０】
前記シリンジシステムが、前記第２のプランジャーに接続されているピストンを備えており、
前記ピストンが、サムピースによって動作されるように構成されていることを特徴とする請求項１２に記載のシリンジシステム。
【請求項２１】
中空ルーメンと、シリンジ先端を含む遠位端とを備えているシリンジ本体であって、複数の流体を収容するように構成されている前記シリンジ本体と、
前記シリンジ本体の前記中空ルーメンの内部に位置決めされている第１のプランジャーであって、前記シリンジ本体の内壁と共に第１のシールを形成しており、前記第１のプランジャーと前記シリンジ本体の前記遠位端との間に第１の区画室を形成している、前記第１のプランジャーと、
前記シリンジ本体の前記中空ルーメンの内部において前記第１のプランジャーの近位に位置決めされている第２のプランジャーであって、前記シリンジ本体の前記内壁と共に第２のシールを形成しており、前記第１のプランジャーと前記第２のプランジャーとの間に第２の区画室を形成している、前記第２のプランジャーと、
前記第２の区画室と流通しており、出口を有する弁を備えている移送管であって、前記弁が、前記シリンジ先端と流通している、前記移送管と、
前記弁の出口に流通状態で接続されている出口ポートと、
を備えているシリンジシステムにおいて、
前記弁の向きが、
流体が前記シリンジ先端から前記出口ポートに至るまで流れる第１の開放状態と、
流体が前記移送管から前記出口ポートに至るまで流れる第２の開放状態と、
流体が前記シリンジ先端及び前記移送管の両方から前記出口ポートに至るまで流れる第３の開放状態と、
前記シリンジ先端及び前記移送管からの流体の流れが遮断される閉鎖状態と、
のうち一の状態を実現するように構成されていることを特徴とするシリンジシステム。
【請求項２２】
中空ルーメンと遠位端とを備えているシリンジ本体であって、複数の流体を収容するように構成されている前記シリンジ本体と、
前記シリンジ本体の前記中空ルーメンの内部に位置決めされている第１のプランジャーであって、前記第１のプランジャーが、前記シリンジ本体の内壁の内部に第１のシールを形成しており、且つ、前記第１のプランジャーと前記シリンジ本体の前記遠位端との間に第１の区画室を形成しており、前記第１のプランジャーが、中空ルーメンを内蔵している、前記第１のプランジャーと、
前記第１のプランジャーの前記中空ルーメンの内部に位置決めされている第２のプランジャーであって、前記第１のプランジャーの内壁の内部に第２のシールを形成しており、前記第１のプランジャーと前記第２のプランジャーとの間に第２の区画室を形成している、前記第２のプランジャーと、
を備えていることを特徴とするシリンジシステム。
【請求項２３】
前記シリンジシステムが、前記第１のプランジャーの前記中空ルーメンの遠位開口部の内部に位置決めされている逆止弁を備えており、
前記逆止弁が、作動した場合に、前記第２の区画室の内容物を放出するように構成されていることを特徴とする請求項２２に記載のシリンジシステム。
【請求項２４】
前記シリンジシステムが、内側ピストン及び外側スリーブを有するピストンを備えており、
前記内側ピストンが、前記第２のプランジャーに取り外し可能に接続されており、
前記外側スリーブが、前記第１のプランジャーに取り外し可能に接続されており、
前記内側ピストンが、前記外側スリーブから独立して移動するように、又は前記外側スリーブにロックされることによって前記内側ピストン及び外側スリーブが一体となって移動するように構成されていることを特徴とする請求項２２に記載のシリンジシステム。
【請求項２５】
前記内側ピストンが、サムピースによって動作されるように構成されていることを特徴とする請求項２４に記載のシリンジシステム。
【請求項２６】
前記第１の区画室が、造影剤を内蔵しており、
前記第２の区画室が、フラッシング流体を内蔵していることを特徴とする請求項２２に記載のシリンジシステム。
【発明の詳細な説明】
【技術分野】
【０００１】
［関連出願の相互参照］
本出願は、２０１３年３月１３日出願の米国特許出願第１３／８０２，３７２号明細書（「Multiple Compartment Syringe」）の利益を主張し、及びその全体を本書に援用する。
【０００２】
放射線検査の最中、患者の解剖学的特徴を良好に画像化するために、造影剤が投与され得る。医師は、一般に、これらの解剖学的特徴を見るために必要であると考えられる特定量の造影剤を指図する。造影剤は高価であり得るため、投与量が完全に投与されること、及び廃棄物がほとんど生成されないか又は全く生成されないようにすることを確認することが重要とし得る。さらに、造影剤は、対象領域の方へ押し出されるか又は対象領域において造影剤が多くなりすぎないように希釈される必要があり得る。
【背景技術】
【０００３】
造影剤を完全に投与し、対象領域へ押し出し、及び／又は希釈することを確実にするための従来の試みは、造影剤の直後に、投与チューブから全ての残留造影剤をフラッシングするすなわち洗い流すか、造影剤を対象領域へ押し進めるか、又は造影剤を希釈するかのために、フラッシング材料、例えば食塩溶液などを注入することを含んだ。一部の放射線検査では、これは、自動装置によって完了され得る。しかしながら、一部の放射線検査では、例えば、自動装置が入手できない、又は検査が、自動装置によって生じ得る送達レベルの制御を必要としないなどの様々な理由で、手動装置を使用する場合もある。しかしながら、現在、当該技術分野で使用される手動装置は、自動装置と同様の方法で送達を制御する能力がないため、造影剤の廃棄、造影剤の不適切な送達、及び／又は造影剤の不適切な希釈を生じる原因となっている。
【０００４】
さらに、造影剤が活発に送達されていないときには、患者のアクセス用の静脈（access vein）が開いたままであることを確実にする必要があり得る。血管系の疾患がある一部の患者では、静脈は、造影剤が活発に供給されていないと、虚脱状態になり得る。そのような条件では、ある量の流体、例えば食塩溶液などが静脈に送達されて、静脈を開いたままに保ち得る（「ＫＶＯ」）。
【発明の概要】
【課題を解決するための手段】
【０００５】
実施形態では、シリンジは、中空ルーメンと遠位端とを有するシリンジ本体を含み、シリンジ本体は、内部に複数の流体を収容するように構成され得る。シリンジ本体の中空ルーメンには第１のプランジャーが位置決めされて、シリンジ本体の内壁と第１のシールを形成し、及び第１のプランジャーとシリンジの遠位端との間に第１の区画室を形成し得る。シリンジ本体の中空ルーメンにおいて、第１のプランジャーの近位方向に第２のプランジャーが位置決めされて、シリンジ本体の内壁と第２のシールを形成し、及び第１のプランジャーと第２のプランジャーとの間に第２の区画室を形成し得る。シリンジ本体の遠位端付近のシリンジ本体の内壁の周囲に複数の凹部が配置され得る。特定の実施形態では、シリンジ本体の内壁及びシリンジ本体の遠位端にある又はその付近にある第１のプランジャーの周囲に流体バイパスが配置されてもよく、第１の流体が流体バイパスを通って第２の区画室まで流れることができる。シリンジは、さらに、第１のプランジャーが第１のシールを形成するように、流体バイパスの近位の位置まで第１のプランジャーを近位方向に動かす機構を含み得る。機構は、シリンジ本体の遠位端にある滑動式エンドキャップ、第１のプランジャーを近位方向に押すように構成されたプッシュロッド、及びスリーブの遠位端に又はその付近にありかつ第１のプランジャーの少なくとも１つの磁石又は強磁性材料と磁気的に結合する少なくとも１つの磁石を含むスリーブのうちの１つなど、様々な機構を含み得る。
【０００６】
実施形態では、シリンジシステムが、中空ルーメンと、シリンジ先端を含む遠位端とを有するシリンジ本体を含み、及びシリンジ本体は、内部に複数の流体を収容するように構成され得る。さらに、シリンジ本体の中空ルーメンに第１のプランジャーが位置決めされて、シリンジ本体の内壁と第１のシールを形成し、及び第１のプランジャーとシリンジの遠位端との間に第１の区画室を形成し得る。シリンジ本体の中空ルーメンにおいて、第１のプランジャーの近位方向に第２のプランジャーが位置決めされて、シリンジ本体の内壁と第２のシールを形成し、及び第１のプランジャーと第２のプランジャーとの間に第２の区画室を形成し得る。移送管が、第２の区画室及びシリンジ先端と流体接続し得る。
【０００７】
実施形態では、シリンジシステムが、中空ルーメンと、シリンジ先端を有する遠位端とを有するシリンジ本体を含み得る。シリンジ本体は、内部に複数の流体を収容するように構成され得る。シリンジシステムはまた、シリンジ本体の中空ルーメンに位置決めされた第１のプランジャーを含み得る。第１のプランジャーは、シリンジ本体の内壁と第１のシールを形成し、及び第１のプランジャーとシリンジの遠位端との間に第１の区画室を形成し得る。シリンジ本体の中空ルーメンにおいて、第１のプランジャーの近位方向に第２のプランジャーが位置決めされて、シリンジ本体の内壁と第２のシールを形成し、及び第１のプランジャーと第２のプランジャーとの間に第２の区画室を形成し得る。シリンジシステムはまた、第２の区画室と流体接続する移送管を含み得る。移送管は、出口を有する弁を含んでもよく、弁は、シリンジ先端と流体連通する。シリンジシステムはまた、弁の出口に流体的に接続された出口ポートを含み得る。弁の向きが、シリンジ先端から出口ポートまでの流体の流れを可能にする第１の開放状態、移送管から出口ポートまでの流体の流れを可能にする第２の開放状態、シリンジ先端及び移送管の両方から出口ポートまでの流体の流れを可能にする第３の開放状態、及びシリンジ先端及び移送管からの流体の流れを遮断する閉鎖状態のうちの１つを含み得る。
【０００８】
実施形態では、シリンジシステムが、中空ルーメンと遠位端とを有するシリンジ本体を含み得る。シリンジ本体は、内部に複数の流体を収容するように構成され得る。シリンジシステムはまた、シリンジ本体の中空ルーメンに位置決めされた第１のプランジャーを含み、シリンジ本体の内壁内に第１のシールを形成し、及び第１のプランジャーとシリンジの遠位端との間に第１の区画室を形成し、第１のプランジャーは、中空ルーメンを含み得る。第１のプランジャーの中空ルーメンに第２のプランジャーが位置決めされて、第１のプランジャーの内壁内に第２のシールを形成し、及び第１のプランジャーと第２のプランジャーとの間に第２の区画室を形成し得る。
【０００９】
実施形態では、シリンジシステムは、第１のチャンバーと、第２のチャンバーと、第１のチャンバー及び第２のチャンバーに流体的に接続された出口とを有するシリンジ本体を含み得る。第１のチャンバーは、第２のチャンバーに隣接して位置決めされ得る。第１のチャンバーの直径は、第２のチャンバーの直径よりも小さいとし得る。第１のチャンバーは、第１の流体を収容するように構成され、及び第２のチャンバーは、第２の流体を収容するように構成され得る。シリンジシステムはまた、第１のチャンバーに位置決めされた第１のプランジャーと、第２のチャンバーに位置決めされた第２のプランジャーとを含み得る。シリンジシステムはまた、第１のプランジャーが規定された距離を移動した後に、第１のプランジャーの遠位方向への動きを停止させるように構成された調整可能なストッパーを含み得る。第２のプランジャーは、遠位方向に動いて、第２の流体を第２のチャンバーから出口の方へ押すように構成される。第２のプランジャーが遠位方向へ動くと、第１の流体は、ベンチュリ効果によって第１のプランジャーから引き出され得る。
【００１０】
以下の詳細な説明では、その一部をなす添付図面を参照する。図面では、文脈上他の意味を指示する場合を除き、同様の記号は、一般に、同様の構成要素を特定する。詳細な説明、図面、及び特許請求の範囲で説明する説明に役立つ実施形態は、限定を意味するものではない。本明細書で提示する主題の趣旨又は範囲から逸脱せずに、他の実施形態を用いてもよく、及び他の変更を行ってもよい。本開示の態様は、全体的に本明細書で説明されかつ図面に示されるように、広範な異なる構成に配置し、置換し、組み合わせ、分離し、及び設計することができ、それら全てが、本明細書で明白に考慮されることが容易に理解される。
【図面の簡単な説明】
【００１１】
【図１Ａ】一の実施形態におけるシリンジの側面図である。
【図１Ｂ】一の実施形態におけるシリンジの側面図である。
【図２Ａ】一の実施形態における移送管を具備する代替的なシリンジの側面図である。
【図２Ｂ】一の実施形態における、代替的に位置決めされた移送管を具備する図２Ａに表わす代替的なシリンジの側面図である。
【図３】一の実施形態における図２Ａ及び図２Ｂに表わすシリンジにおいて使用される弁の様々な代替的な配向を表わす。
【図４】一の実施形態における別の代替的なシリンジの側面図である。
【図５】一の実施形態におけるさらなる別の代替的なシリンジの側面図である。
【図６Ａ】一の実施形態における図１Ａ及び図１Ｂに表わすシリンジの様々な構成要素の動作を表わす。
【図６Ｂ】一の実施形態における図１Ａ及び図１Ｂに表わすシリンジの様々な構成要素の動作を表わす。
【図６Ｃ】一の実施形態における図１Ａ及び図１Ｂに表わすシリンジの様々な構成要素の動作を表わす。
【図６Ｄ】一の実施形態における図１Ａ及び図１Ｂに表わすシリンジの様々な構成要素の動作を表わす。
【図７Ａ】一の実施形態における図２Ａに表わすシリンジの様々な構成要素の動作を表わす。
【図７Ｂ】一の実施形態における図２Ａに表わすシリンジの様々な構成要素の動作を表わす。
【図７Ｃ】一の実施形態における図２Ａに表わすシリンジの様々な構成要素の動作を表わす。
【図８Ａ】一の実施形態における図５に表わすシリンジの様々な構成要素の動作を表わす。
【図８Ｂ】一の実施形態における図５に表わすシリンジの様々な構成要素の動作を表わす。
【図８Ｃ】一の実施形態における図５に表わすシリンジの様々な構成要素の動作を表わす。
【図９Ａ】一の実施形態におけるシリンジの様々な構成要素の動作を表わす。
【図９Ｂ】一の実施形態におけるシリンジの様々な構成要素の動作を表わす。
【図９Ｃ】一の実施形態におけるシリンジの様々な構成要素の動作を表わす。
【図１０Ａ】一の実施形態におけるシリンジの吸引プロセスを表わす。
【図１０Ｂ】一の実施形態におけるシリンジの吸引プロセスを表わす。
【図１１Ａ】一の実施形態におけるシリンジの吸引プロセスを表わす。
【図１１Ｂ】一の実施形態におけるシリンジの吸引プロセスを表わす。
【発明を実施するための形態】
【００１２】
本開示は、説明する特定のシステム、装置及び方法を変更し得るため、これらに限定されない。説明で使用される用語法は、特定の変形例又は実施形態のみを説明するためのものであり、及び範囲を限定するものではない。
【００１３】
本明細書では、単数形「a」、「an」、及び「the」は、文脈上明白に他の意味を指示する場合を除いて、複数形を含む。他の意味に定義されない限り、本明細書で使用される全ての技術用語及び科学用語は、当業者に一般に理解されているのと同じ意味を有する。本開示では、本開示で説明する実施形態が、先行発明であるゆえにそのような開示に先行する権利を有しないことを承認するとはみなされない。本明細書では、用語「備えている（comprising）」は、「含んでいる（including）が、それに限定されない」を意味する。
【００１４】
説明するために、以下、「上部」、「下部」、「右」、「左」、「垂直」、「水平」、「上部」、「底部」、「横方向」、「縦方向」との用語及びそれらの派生語は、図面に開示する実施形態の向きに関する。しかしながら、実施形態は、反対であると明白に指定されている場合を除いて、代替的な変形例及びステップの連続をとってもよい。添付図面に示しかつ以下の明細書に説明する特定の装置及びプロセスは、例示的な実施形態である。それゆえ、本明細書に開示する実施形態に関する物理的な特徴は、限定であるとは考慮されない。
【００１５】
「近位」との用語は、本明細書で説明する装置を使用する臨床医又はオペレータに比較的近い方向を指し、及び「遠位」との用語は、臨床医又はオペレータから比較的離れた方向を指す。例えば、患者の体の最も近くに配置されたシリンジの端部は、シリンジの遠位端であると考えられる一方、臨床医に近い端部は、シリンジの近位端である。「軸方向」又は「軸方向に」との用語は、一般的に、好ましくはその軸の周囲に、言及されている特定の対象物が形成される軸を指す（しかし、この対象物は、必ずしもその軸の周りで対称的ではないが）。「半径方向」との用語は、一般的に、軸に垂直な、又は円形横断面を有する対象物の半径に沿った方向を指す。
【００１６】
本開示の様々な実施形態は、造影剤の塊（bolus）に続けてある量の食塩溶液を送達するために手動装置を使用する装置、及びその使用方法に関し得る。様々な実施形態では、これは、ラインすなわち経路をフラッシングしすなわち洗い流して、造影剤が全て患者に確実に送達されるようにし、造影剤を対象領域まで移動させ、及び／又は造影剤の濃度を希釈する働きをし得る。様々な実施形態では、装置及び使用方法は、さらに、少量の流体を送達して、造影剤の投与中に、静脈開存状態を維持することができるようにし得る。
【００１７】
図１Ａは、全体的に１００を付す、実施形態によるシリンジの側面図を示す。シリンジ１００は、一般的に、中空ルーメン１０７と、近位端１０１と、先端１１０を有する遠位端１０２とを有するシリンジ本体１０５を含み得る。シリンジ本体１０５は、形状又はサイズが本開示によって限定されず、及び任意の形状又はサイズ、当業者によく知られている特定の形状及びサイズのシリンジ本体とし得る。様々な実施形態では、シリンジ本体１０５は、実質的にシリンダー状とし得る。シリンジ１００がコンピューター断層撮影（ＣＴ）適用例などで使用されるために構成されている様々な実施形態では、シリンジ本体１０５は、約２０ｍｌ〜約１５０ｍｌの流体を収容するように構成され得る。特定の実施形態では、シリンジ本体は、約２０ｍｌ、約２５ｍｌ、約３０ｍｌ、約５０ｍｌ、約７５ｍｌ、約１００ｍｌ、約１２５ｍｌ、約１５０ｍｌ、又は任意の値又はこれらの値の任意の２つの間の範囲を含むように構成され得る。シリンジ１００が磁気共鳴（ＭＲ）適用例などで使用されるために構成されている様々な実施形態では、シリンジ本体１０５は、約５ｍｌ〜約２０ｍｌの流体を収容するように構成され得る。特定の実施形態では、シリンジ本体は、約５ｍｌ、約１０ｍｌ、約１２．５ｍｌ、約１５ｍｌ、約２０ｍｌ、又は任意の値又はこれらの値の任意の２つの間の範囲を含むように構成され得る。
【００１８】
様々な実施形態では、中空ルーメン１０７の内部には複数のプランジャーが配置され得る。例えば、本実施形態では、中空ルーメン１０７は、第１のプランジャー１２０及び第２のプランジャー１３５を含み得る。しかしながら、当業者は、本開示の範囲から逸脱せずに、３つ以上のプランジャーを使用し得ることを認識する。様々な実施形態では、第１のプランジャー１２０は、第１のシール１２５によってシリンジ本体１０５の内部を封止し得る。一部の実施形態では、第１のシール１２５は、第１のプランジャー１２０とは別個の構成要素、例えば、追加されたＯリングなどとし得る。これらの実施形態では、第１のシール１２５は、取り付け装置、接着剤などを含む任意の取り付け手段によって、第１のプランジャー１２０に固定して取り付けられ得るか、又は第１のシールは、第１のプランジャーに取り外し可能に取り付けられ得る。他の実施形態では、第１のシール１２５は、第１のプランジャー１２０の一部分として製作され得る。同様に、様々な実施形態では、第２のプランジャー１３５は、第２のシール１４０によって、シリンジ本体１０５の内部を封止し得る。一部の実施形態では、第２のシール１４０は、第２のプランジャー１３５とは別個の構成要素、例えば、追加されたＯリングなどとし得る。これらの実施形態では、第２のシール１４０は、取り付け装置、接着剤などを含む任意の取り付け手段によって、第２のプランジャー１３５に固定して取り付けられ得るか、又は第２のシールは、第２のプランジャーに取り外し可能に取り付けられ得る。他の実施形態では、第２のシール１４０は、第２のプランジャー１３５の一部分として製作され得る。第１のプランジャー１２０、第２のプランジャー１３５、第１のシール１２５、及び第２のシール１４０は、それぞれ、プランジャー及び／又はシールで使用するために現在公知の又は最近開発された当業者に公知の任意の材料で作製し得る。具体例は、ポリマー、ゴムなどを含み得る。
【００１９】
様々な実施形態では、第１のプランジャー１２０とシリンジ本体１０５の遠位端１０２との間に第１の区画室１６０が形成され得る。第１の区画室１６０は、流体を収容するように構成され得る。特定の実施形態では、流体は造影剤を含み得る。様々な実施形態では、第２のプランジャー１３５と第１のプランジャー１２０との間に第２の区画室１６５が形成され得る。第２の区画室１６５もまた、流体を収容するように構成され得る。特定の実施形態では、流体はフラッシング流体を含み得る。フラッシング流体のそのような１つの具体例は、食塩水とし得る。第１の区画室１６０の体積は、第１のプランジャー１２０とシリンジ本体１０５の遠位端１０２との間の距離、並びにシリンジ本体の外周によって決定され得る。第２の区画室１６５の体積は、第１のプランジャー１２０と第２のプランジャー１３５との間の距離、並びにシリンジ本体１０５の外周によって決定され得る。
【００２０】
様々な実施形態では、第１のプランジャー１２０及び第２のプランジャー１３５は、接続部片１３０によって一緒に接合され得る。接続部片１３０は、第２のプランジャー１３５に力が加えられると、力の一部が第１のプランジャー１２０に伝えられて、第２のプランジャーと一緒に第１のプランジャーに動きを生じるように、構成され得る。一部の実施形態では、動きは二方向とし得る、すなわち、力は、近位方向に又は遠位方向に方向付けられて、第１のプランジャー１２０及び第２のプランジャー１３５をシリンジ内の近位又は遠位のいずれかの方向に動かすようにし得る。これらの実施形態では、接続部片１３０は、圧力が加えられるときでも曲がったり又は衝撃吸収（collapse）したりしない剛性材料で構成され得る。接続部片１３０は、さらに、接触し得る任意の流体に影響を及ぼさない任意の材料で構成され得る。他の実施形態では、動きは一方向とし得る、すなわち、第２のプランジャー１３５を遠位方向に押す力は、第１のプランジャー１２０に伝えられないため、第１のプランジャーは適所にとどまり得るが、近位方向への反対方向の力が第２のプランジャーに加えられるとき、力は第１のプランジャーに伝えられ、それも動くようにされる。一部の実施形態では、図１Ａに示すように、この一方向の動きは、衝撃吸収可能な（collapsible）材料で構成される接続部片１３０’を使用することによって、可能にされ得る。衝撃吸収可能な材料の具体例は、フィラメント、モノフィラメント、繊維、ポリマーなどを含み得る。一部の実施形態では、接続部片１３０（又は１３０’）は、１つ以上の磁石を含み得るため、第２のプランジャー１３５に加わる力によって、磁力に起因して、第１のプランジャー１２０に加わる力を生じる。一部の実施形態では、接続部片１３０（又は１３０’）は、接続部片をロック又はロック解除できる解放可能なピン又は同様のロック装置を含み、本明細書で説明するようにプランジャー１２０、１３５の所望量の動きをもたらし得る。他の構造にあるように、接続部片１３０（又は１３０’）は、さらに、接触し得る流体に全く影響を与えない任意の材料で構成される。
【００２１】
様々な実施形態では、特に、接続部片が衝撃吸収可能な材料１３０’である実施形態では、第１のプランジャー１２０は、第２のチャンバー１６５内に配置された流体からの力を受けて、シリンジ本体１０５の遠位端１０２の方へ動かされ得る。例えば、第２のシール１４０及び第１のシール１２５の作用に起因して、第２の区画室１６５内に入れられた流体は、漏れたり又は圧縮したりしないが、液圧ロック（hydraulic lock）の働きをし、それにより、第２のプランジャー１３５から第１のプランジャー１２０へ力を伝える。このようにして、第１の区画室１６０に配置された流体は、第１のプランジャー１２０によって遠位方向に押され、ここで、一部の実施形態では、シリンジ先端１１０から押し出され得る。
【００２２】
様々な実施形態では、第２のプランジャー１３５は、シリンジ本体１０５の近位端１０１にある開口部から少なくとも部分的に延在し得るピストン１４５に接続され得る。第２のプランジャー１３５は、限定されるものではないが、任意の数のクリップ、締結具、フック、接着剤などを含む任意の取り付け手段によって、ピストン１４５に取り付けられ得る。一部の実施形態では、第２のプランジャー１３５は、ピストン１４５の一部分として成形され得る。一部の実施形態では、ピストン１４５は、近位方向に取り付けられたサムピース１５０を有し得る。サムピース１５０は、一般的に、シリンジ１００の使用者がピストン１４５を、及び対応して第２のプランジャー１３５及び／又は第１のプランジャー１２０を押す及び／又は引くことができるようにする安定表面をもたらし得る。本明細書に示すサムピース１５０は、ほぼ平面である；しかしながら、当業者は、本開示の範囲から逸脱せずに、サムピースの形状及びサイズは本開示によって限定されないこと、及び任意の数のリング、開口部、曲面（contoured surfaces）などを含み得ることを認識する。当業者はまた、用語「サムピース」は限定されるものではないことに留意されたい；使用者は、任意の物体を使用して、本明細書で説明するようにサムピース１５０を操作し得る。
【００２３】
様々な実施形態では、シリンジ本体１０５の内部表面には、複数の凹部１５５が配置され、各凹部が位置する内部表面の部分に空隙を生じる。一部の実施形態では、複数の凹部１５５は、遠位端１０２の近くのシリンジ本体１０５の内壁の周囲に配置され得る。凹部１５５の形状及びサイズは、本開示によって限定されず、及び一般的に、シリンジ本体１０５と第１のプランジャー１２０の第１のシール１２５との間のシールを破る任意の形状及び／又はサイズとし得る。一部の実施形態では、凹部１５５は波状に仕上げられている（scalloped）とし得る。他の実施形態では、凹部１５５は、正方形又は鋸歯状の刻み目に仕上げられている（crenelated）とし得る。凹部１５５は、シリンジ本体１０５の内壁の任意の位置に配置され、及び第１の区画室１６０及び／又は第２の区画室１６５に所望である流体の量に対応するように位置決めされ得る。しかしながら、凹部１５５は、第１のシール１２５に接触しないようなシリンジ本体の遠位方向には配置できない。なぜなら、第２の区画室１６５の流体が放出されないためである。一部の実施形態では、凹部１５５は、シリンダー状のシリンジ本体１０５から先端１１０へのテーパ付き移行点に位置決めされ得る。
【００２４】
様々な実施形態では、１つ以上のフィンガーガード１１５が、一般的にシリンジ本体１０５の近位端１０１に又はその付近に配置される個所に位置決めされ得る。一部の実施形態では、フィンガーガード１１５は、一般的に、シリンジ本体１０５の外表面に配置され、かつ一般的に、シリンジ本体の外表面から延出し得る。一部の実施形態では、フィンガーガード１１５は、動作中、シリンジ１００に安定性をもたらすような機能を果たし得る。一部の実施形態では、使用者はフィンガーガード１１５を使用して、動作中にシリンジ１００が動かないようにし得る。一部の実施形態では、使用者はフィンガーガード１１５を使用して、シリンジ１００が使用者の手から抜け出ないようにし得る。一部の実施形態では、使用者はフィンガーガード１１５を使用して、使用者の指を保護し得る。一部の実施形態では、フィンガーガード１１５は、ピストン１４５がシリンジ本体１０５内でさらに遠位方向に動くのを防止する停止装置としての機能を果たし得る。フィンガーガード１１５の形状及びサイズは、本開示によって限定されず、及び当該技術分野で公知の任意の形状及び／又はサイズとし得る。形状の具体例は、リング形状、楔形状、Ｔ字形状、湾曲、指の刻み目のある湾曲などとし得る。
【００２５】
図２Ａは、全体的に２００を付す、実施形態による代替的なシリンジの側面図を示す。上記で図１Ａ及び図１Ｂを参照して開示したシリンジ１００と同様に、シリンジ２００は、近位端２０１と遠位端２０２とを有するシリンジ本体２０５を含み得る。シリンジ本体２０５は、その内部に配置された第１のプランジャー２２０及び第２のプランジャー２３５を含み得る。本明細書で前述した通り、第１のプランジャー２２０、第２のプランジャー２３５、及び先端２１０は、第１の区画室２６０及び第２の区画室２６５を規定し、そこに、２種類の異なる流体を貯蔵する。本明細書で前述した通り、第１のプランジャー２２０及び第２のプランジャー２３５は、ピストン２４５のサムピース２５０の部分に力を加えることによって、シリンジ本体２０５内を移動し得る。一部の実施形態では、本明細書で説明するように、第１のプランジャー２２０の動きは、接続部片２３０によって支援され得る。代替的な実施形態では、同様に本明細書で説明したように、第１のプランジャー２２０の動きは、第２のプランジャー２３５に加わる力を、第２の区画室２６５に配置された流体を介して第１のプランジャー２２０へ伝えることによって、支援され得る。
【００２６】
様々な実施形態では、図２Ａの代替的なシリンジは、とりわけ、移送管２７０、弁２７５、及び１つ以上の出口ポート２８０を含むことによって、図１Ａ及び図１Ｂのシリンジとは異なってもよい。一部の実施形態では、凹部２５５は存在しなくてもよい。一部の実施形態では、これらの追加的な要素の機能は、本明細書で説明するように、シリンジ２００が「静脈を開いたままに保つ（keep vein open）」（ＫＶＯ）機能をもたらすことができるようにし得る。ＫＶＯ機能は、静脈へのアクセスが流体注入に利用できるようにすること、及び流体が投与されていないときに虚脱状態にならないようにすることを保証するために、長期の注入処置の最中に使用され得る。一部の実施形態では、これらの追加的な要素の機能は、シリンジ２００が、第１の区画室２６０の流体を送達する前に、第２の区画室２６５の流体を送達する機能をもたらすことができるようにし得る、及び逆の場合も同じである。一部の実施形態では、これらの追加的な要素の機能は、シリンジ２００が、患者へ送達する最中に、第１の区画室２６０の内容物の少なくとも一部分と、第２の区画室２６５の内容物の少なくとも一部分とを混合させる機能をもたらすことができるようにし得る。一部の実施形態では、これらの追加的な要素の機能は、シリンジ２００が、「オフ」状態にあるようにできるため、区画室２６０、２６５のいずれかからの内容物が、シリンジを使用していないときに、逃げないように、例えば漏れないようにし得る。
【００２７】
様々な実施形態では、移送管２７０は、シリンジ本体２０５内の第２の区画室２６５の内容物と流体接続し得る。それゆえ、一部の実施形態では、シリンジ本体２０５は、移送管２７０を取り付けるための開口部及び／又は穴を含んでいて、その流体接続を可能にし得る。移送管２７０の構成は、本開示によって限定されず、及び任意の形状、サイズ、及び／又は組成とし得る。一部の実施形態では、移送管２７０は、全体的に中空であり、そこを通して流体を伝えることができ、及び一般的に、そこを通る流体に影響を与えない物質で作製され得る。
【００２８】
図２Ｂに示す実施形態などの代替的な実施形態では、移送管２７０’は、プランジャー２２０、２３５の位置に依存して、第１の区画室２６０及び第２の区画室２６５の両方の内容物と流体接続し得る。一部の実施形態では、移送管２７０’は、凹部２５５（図２Ａ）の代替例としての機能を果たし得る。それゆえ、本明細書で詳細に説明するように、移送管２７０’は、第１の区画室２６０が移送管に露出されかつ弁２７５が特定の位置にされているときにのみ、第１の区画室２６０へ／からの流体の伝達を可能にし得る。さらに、本明細書で説明するように、移送管２７０’は、第２の区画室２６５が移送管に露出されかつ弁２７５が特定の位置にされているときにのみ、第２の区画室２６５へ／からの流体の移動を可能にし得る。さらに、凹部は、この実施形態では存在しないため、第１のプランジャー２２０は、遠位方向に押し進められているときでも、シリンジ本体２０５の内壁との封止を形成し続け得るため、本明細書で説明するように、第２の区画室２６５にある流体は、弁２７５が特定の位置にされているとき、移送管２７０’を経由してシリンジ２００を出ることができるにすぎない。
【００２９】
図２Ａ及び図２Ｂのいずれかの実施形態に示すように、移送管２７０は、弁２７５で終端し得る。一部の実施形態では、弁２７５は、移送管２７０、先端２１０及び出口ポート２８０と流体接続し得る。様々な実施形態では、図３に示すように、弁２７５は、流体的に接続されている要素のうちのいずれかに開口するか又はどれにも開口していない複数の状態のうちの１つに位置決めされるように構成され得る。位置（ａ）に示すような第１の状態は、先端２１０及び移送管２７０の両方から出口ポート２８０まで内容物が流れることができる。位置（ｂ）に示すような第２の状態は、先端２１０にある内容物を遮断するため、移送管２７０からの内容物のみを出口ポート２８０に出すことができる。位置（ｃ）に示すような第３の状態は、移送管２７０にある内容物を遮断するため、先端２１０からの内容物のみを出口ポート２８０に出すことができる。位置（ｄ）に示すような第４の状態は、いずれの箇所の内容物も出口ポート２８０に出されない。なぜなら、弁２７５は移送管２７０及び先端２１０の両方に対して閉鎖されているためである。当業者は、本明細書で詳細に説明するように、内容物は、同様の方法でシリンジ２００に引き込まれ得ることを認識する。
【００３０】
様々な実施形態では、出口ポート２８０は、弁２７５の向き及び／又は移送管２７０（又は２７０’）の位置に依存して、第１のチャンバー２６０、第２のチャンバー２６５、両チャンバーからの内容物を受け入れるか、又はどちらのチャンバーの内容物も受け入れないように構成され得る。出口ポート２８０は、さらに、受け入れられたいずれかの内容物を患者に出力するように構成され得る。一部の実施形態では、出口ポート２８０は、追加的な要素、例えばチューブ、針、ノズル、弁、カテーテルなどにしっかりと取り付けられ、患者への内容物の送達を支援するように構成され得る。
【００３１】
図４は、実施形態による別の代替的なシリンジシステムの側面図を示す。シリンジシステム４００は、第１のチャンバー４１０と第２のチャンバー４２０とを有するシリンジ本体４０５を含み得る。本明細書に示す他の実施形態とは異なり、第１のチャンバー４１０及び第２のチャンバー４２０は、互いに一直線でなくてもよい。むしろ、チャンバー４１０、４２０は、例えば、互いに実質的に平行など、互いに隣接して位置決めされ得る。各チャンバー４１０、４２０の遠位端は、出力部すなわち流出部４４５に流体的に接続される。一部の実施形態では、出力部４４５は、第１のチャンバー４１０及び／又は第２のチャンバー４２０の内容物を被験者に伝達するように構成され得る。一部の実施形態では、本明細書で詳細に説明するように、出力部４４５は、例えば、チューブ、ノズル、針、弁、カテーテルなどの他の装置に取り付けるように構成され得る。
【００３２】
様々な実施形態では、第１のチャンバー４１０は、第１のプランジャー４１５と、第１の流体を収容して出すための空洞とを有し得る。同様に、第２のチャンバー４２０は、第２のプランジャー４２５と、第２の流体を収容して出すための空洞とを有し得る。一部の実施形態では、第１のチャンバー４１０の直径は、第２のチャンバーの直径よりも小さいとし得る。本明細書で詳細に説明するように、第２のプランジャー４２５は、遠位方向に力を受けることによって作動され得る。第２のチャンバー４２０の直径は第１のチャンバー４１０の直径よりも大きいため、流体を第２のチャンバーから出力部４４５へ動かす第２のプランジャー４２５に加わる力は、第１のチャンバー内の流体にベンチュリ効果を生じて、第２のチャンバーからの流体と一緒に出力部から引き出されるようにし得る。一部の実施形態では、定荷重バネ４４０が、第２のプランジャー４２５に加えられる力が流体でありかつ被験者へのチャンバー４１０、４２０の内容物の滑らかな送達を生じるように均一であることを保証するように、構成され得る。
【００３３】
様々な実施形態では、シリンジシステム４００はストッパー４３０を含み得る。一部の実施形態では、ストッパー４３０は、一定の距離の動きが生じた後、第１のプランジャー４１５の動きを阻止するように構成され得る。ストッパー４３０の位置は、ストッパー調整ネジ４３５を作動することによって、調整可能とし得る。ストッパー４３０の位置を変えることによって、使用者は、ストッパーによって停止される前の、第１のプランジャー４１５が動くことができる距離を指示できる。説明に役立つ例では、本明細書で説明するように、力が第２のプランジャー４２５に加えられて、それぞれのチャンバー４１０、４２０内で第１のプランジャー４１５及び第２のプランジャーを遠位方向に動かし得る。第１のプランジャー４１５がストッパー４３０に達すると、第１のプランジャーの追加的な遠位への動きが終わり、それにより、追加的な流体が第１のチャンバー４１０から出ないようにし得る一方、第２のプランジャー４２５の追加的な遠位への動きは、第２のチャンバー４２０の内容物が全て第２のチャンバーから移動されるまで続き得る。
【００３４】
図５は、実施形態による、さらに別の代替的なシリンジの側面図を示す。図１Ａ及び図１Ｂに関して上記で開示したシリンジ１００と同様に、シリンジ５００は、近位端５０１と遠位端５０２とを有するシリンジ本体５０５を含み得る。シリンジ本体５０５は、その内部に配置された第１のプランジャー５２０及び第２のプランジャー５３５を含み得るが、図１Ａ及び図１Ｂの実施形態とは異なり、本明細書で詳細に説明するように、第２のプランジャーは、第１のプランジャーの内側に配置され得る。本明細書で前述した通り、第１のプランジャー５２０及び第２のプランジャー５３５は、ピストン５４５のサムピース５５０の部分に力を加えることによって、シリンジ本体５０５内で移動し得る。
【００３５】
様々な実施形態では、本明細書で前述した通り、第１のプランジャー５２０は、第１のシール５２５によって、シリンジ本体５０５の内部を封止し得る。本明細書で前述した通り、第１のチャンバー５６０は、第１のプランジャー５２０及び先端５１０によって規定され得る。第１のチャンバー５６０は、さらに、内部に流体を収容するように構成されてもよく、ここでは、本明細書で前述した通り、サムピース５５０に力を加えると、流体は先端５１０から押し出される。
【００３６】
様々な実施形態では、第１のプランジャー５２０は、実質的に中空であり、かつ内部に、少なくとも第２のプランジャー５３５及び一方向逆止弁などの逆止弁５２３を収容するように構成され得る。一部の実施形態では、第２のプランジャー５３５は、第２のシール５４０によって、第１のプランジャー５２０の内部を封止し得る。その結果、第２のチャンバー５６５は、第２のプランジャー５３５、及び第１のプランジャー５２０内の中空の空間の残りの部分によって、規定され得る。さらに、第２のプランジャー５３５は、シリンジ本体５０５内での第１のプランジャーの動きとは無関係に、第１のプランジャー５２０内で滑動式に動くように構成され得る。一部の実施形態では、逆止弁５２３は、第１のプランジャー５２０の遠位部分５２１の開口部を塞ぐように、作動する構成にされてもよい。一部の実施形態では、逆止弁５２３は、さらに、第２のチャンバー５６５の内容物を遠位方向に第１のチャンバー５６０及び／又は先端５１０へと放出できるように、放出する構成にされてもよい。一部の実施形態では、本明細書で詳細に説明するように、第１のプランジャー５２０の遠位方向に位置決めされた第３のシール５２４は、第１のプランジャーの遠位部分がシリンジ本体５０５の遠位部分に対して封止できるようにし得るため、第２の区画室５６５からの流体は、押し出されるときに、シリンジ本体内に戻るようには流れない。
【００３７】
様々な実施形態では、第２のプランジャー５３５は、ピストン５４５の少なくとも一部分に取り外し可能に取り付けられ得る。一部の実施形態では、第２のプランジャー５３５は、それに付けられた、近位方向に置かれた取付部材５３７を含み得る。第２のプランジャー５３５の取付部材５３７は、一般的に、ピストン５４５の取付部材５４８に取り外し可能に取り付けられるように構成され得る。
【００３８】
様々な実施形態では、ピストンは、少なくとも内側ピストン５４７及び外側スリーブ５４６を含み得る。一部の実施形態では、内側ピストン５４７は、サムピース５５０から取付部材５４８まで延在し得る。様々な実施形態では、内側ピストン５４７は、内側ピストンが作動されると、外側スリーブ５４６とは無関係に移動でき、取付部材５４８を、第１のプランジャー５２０とは実質的に接触せずに第２のプランジャー５３５の取付部材５３７に取り付けることができ、かつシリンジ本体５０５内で第１のプランジャーを動かすことなく、第２のプランジャーを第１のプランジャー内で動かすような、形状及びサイズを有し得る。一部の実施形態では、外側スリーブ５４６は、内側ピストン５４７とは無関係に作動でき、かつ、さらに内側ピストンとは無関係に動くことができる。一部の実施形態では、外側スリーブ５４６は、第２のプランジャー５３５と実質的に接触せずに、外側スリーブが第１のプランジャー５２０の近位端の少なくとも一部分と接触できるように構成されるような、形状及び／又はサイズを有し得る。一部の実施形態では、本明細書で詳細に説明するように、外側スリーブ５４６に力が加えられて、外側スリーブが第１のプランジャー５２０をシリンジ本体５０５内で動かすようにし得る。一部の実施形態では、内側ピストン５４７及び外側スリーブ５４６は、ロック機構（図示せず）によって一緒にロックされ得るため、サムピース５５０に力が加えられると、ピストン５４５全体が一つになって動く。
【００３９】
様々な実施形態では、シリンジ本体５０５は、さらに、シリンジ本体の内面内のある箇所に位置決めされた１つ以上の弁アクチュエータ５１１を含み得る。本例では、弁アクチュエータ５１１は、先端５１０付近に置かれている；しかしながら、当業者は、弁アクチュエータは、本開示の範囲から逸脱せずに、任意の箇所に配置され得ることを認識する。一部の実施形態では、弁アクチュエータ５１１は、弁アクチュエータと逆止弁とが接触すると、一方向逆止弁５２３を解放するように構成され得る。一部の実施形態では、弁アクチュエータ５１１は、弁アクチュエータと逆止弁との接触が解除されると、逆止弁５２３を作動するように構成され得る。
【００４０】
図６Ａ〜６Ｄは、実施形態による、図１Ａ及び図１Ｂに示すシリンジ１００の様々な構成要素の動きを示す。より詳細には、図６Ａは、第１の流体が第１の区画室１６０内に、及び第２の流体が第２の区画室１６５内に入れられているときのシリンジ１００の初期状態を示す。本明細書で既に説明した通り、使用者は、サムピース１５０に力を加えて、ピストン１４５を遠位方向にシリンジ本体１０５内へと押し進める。その結果、ピストン１４５は、第２のプランジャー１３５を遠位方向にシリンジ先端１１０の方へ機械的に押し進める。本明細書で既に説明した通り、第２のシール１４０及び第１のシール１２５の作用によって、第２の区画室１６５にある流体は、漏れたり又は圧縮したりしないが、液圧ロックの機能を果たし、それにより、力を第２のプランジャー１３５から第１のプランジャー１２０へ伝え、図６Ｂに示すように、第１のプランジャーも遠位方向にシリンジ先端１１０の方へ動かし得る。その結果、第１の区画室１６０に入れられた流体は、シリンジ先端１１０から押し出され得る。
【００４１】
様々な実施形態では、第１の区画室１６０にある流体は、ピストン１４５に加わる機械的な力が（第２のプランジャー１３５、及び第２の区画室１６５の流体からの力を介して）第１のプランジャーを凹部１５５へ駆動するまで、第１のプランジャー１２０によって先端１１０を通って押し出され得る。一部の実施形態では、凹部１５５において、第１のシール１２５は、もはや、シリンジ本体１０５の内側面に対して流体シールの機能を果たし得ない。この状態では、シリンジ本体１０５の内部に対する第１のプランジャー１２０の液圧シールが破壊されているため、第２の区画室１６５にある流体は、凹部１５５の周囲を、第１の区画室１６０の残りの空間を通って、先端１１０から流れ得る。図６Ｃは、様々な実施形態による、第１のシール１２５が凹部１５５に接触するときのシリンジ１００の断面図を示す。一部の実施形態では、第１のシール１２５は、１つ以上のコップ（cops）１５６に接触し得るが、凹部１５５の１つ以上の正方形又は鋸歯状の刻み目（crenel）１５７を塞がない。それゆえ、一部の実施形態では、第２の区画室１６５（図６Ｂ）からの流体は、正方形の刻み目１５７を通って先端１１０（図６Ｂ）から出るように流れ得る。
【００４２】
図６Ｄは、様々な実施形態による、第１の区画室１６０及び第２の区画室１６５の両方からの流体の、シリンジ１００による送達の完了の結果を示す。一部の実施形態では、サムピース１５０は、フィンガーガード１１５の端部まで完全に押されたとし得る。その結果、ピストン１４５は、その移動長を動き、及び第２のプランジャー１３５は、その最も遠位の位置まで延在し得る。一部の実施形態では、本明細書で詳細に開示したように、第２の区画室１６５は、最小体積まで圧縮され、及び以前そこに入れられていた流体は、第１のプランジャー１２０の周囲を、及び第１の区画室１６０を通って、送達されたとし得る。図６Ｄは、第１のプランジャー１２０及び第２のプランジャー１３５の図示の幾何学的形状に起因した第２の区画室１６５における残留量を示すが、２つのプランジャーは、第２のプランジャーが完全に遠位方向に伸ばされると、第２のプランジャーの遠位面及び第１のプランジャーの近位面が、容積を最小からゼロにできるようにするように、製作され得ることが認識され得る。図６Ｄはまた、接続部片１３０が、流体送達の最後では、張力がかかっていない状態にあってもよいことを示す。本明細書で前述した通り、接続部片１３０は、第２のプランジャー１３５がシリンジ本体１０５の近位端１０１の方へ引き出されるとき、第１のプランジャー１２０に力を加え、かつ第２のプランジャーがシリンジの遠位端の方へ押される間、第１のプランジャーへ力を伝えなくてもよいように設計され得る。
【００４３】
様々な実施形態では、シリンジ１００は、逆の送達順序で動作することによって、充填され得る。それゆえ、一部の実施形態では、空シリンジ１００は、シリンジ１０５の遠位端１０２にある第１のプランジャー１２０及び第２のプランジャー１３５の両方から始まり得る。一部の実施形態では、第２の流体は、まず、使用者がサムピース１５０を、フィンガーガード１１５から離れる近位方向の動きで動かすとき、先端１１０から第２の区画室１６５内へと導入され得る。サムピース１５０の近位方向の動きによって、ピストン１４５及び機械的に結合された第２のプランジャー１３５も近位方向に動かし得る。一部の実施形態では、第２のプランジャー１３５は、シリンジ本体１０５内へと近位方向に引き出され、それにより、接続部片１３０の弛みを吸収し得る。第２のプランジャー１３５が近位方向にシリンジ本体１０５まで十分に動いたら（図６Ｂ参照）、接続部片１３０はピンと張られ、かつ、ピストン１４５に加わるさらなる近位方向の動きが第１のプランジャー１２０に伝えられ得る。第１のシール１２５が凹部１５５の近位のシリンジ本体１０５内へと引き入れられると、第２の区画室１６５は封止され、及び追加的な流体は第２の区画室内へは導入されない。この点で、サムピース１５０は、さらに近位方向に引っ込められ得る。第１のプランジャー１２０の第１のシール１２５が注射筒１０５の内部表面に係合されると、先端１１０を通して導入された第１の流体が、第１の区画室１６０へと送達され得る。
【００４４】
図７Ａ〜７Ｃは、実施形態による、図２Ａに示すシリンジ２００の様々な構成要素の動きを示す。本明細書で詳細に説明するように、サムピース２５０に加わる圧力は、ピストン２４５を通して第２のプランジャー２３５に伝えられる。本明細書で詳細に説明するように、第２の区画室２６５からの流体路が全くなければ、液圧ロックによって、第１のプランジャー２２０を遠位方向に押し進める。それゆえ、弁２７５が図３に示すような第３又は第４の状態のいずれかにある場合、流体は、移送管２７０を通って第２の区画室から流れ得ず、及び一部の実施形態では、特に弁２７５が第３の状態にある場合、第１の区画室２６０からの流体は、図１Ａ及び図１Ｂに示す実施形態の場合と同様に、先端２１０及び出口ポート２８０を通って送達される。図７Ｂは、第２の状態にある弁２７５の結果を示す。一部の実施形態では、弁２７５が第１又は第２の状態（図３）のいずれかにあるとき、第２の区画室２６５からの流体は、方向矢印Ｄに示すように移送管２７０を通って移動し、かつ出口ポート２８０から流出し得る。その結果、第２のプランジャー２３５と第１のプランジャー２２０との間の液圧ロックは解放されてもよく、及び図７Ｃに示すように、第１のプランジャーは、もはや、第２のプランジャーによって、それらが互いに物理的に接触するまで、駆動されない。一部の実施形態では、第２のプランジャー２３５は第１のプランジャー２２０とは無関係に動くことができるため、図７Ｂ及び図７Ｃに示すように、接続部片２３０は緊張を緩めてもよい。
【００４５】
様々な実施形態では、本明細書で前述した通り、シリンジ２００は、逆の送達順序で動作することによって、充填され得ることが認識され得る。弁２７５は、第１の区画室２６０又は第２の区画室２６５のどちらを充填したいかに従って調整されてもよく、及びプランジャーは、近位方向に押し進められて、それぞれの区画室内への流体の流入を生じさせ得る。
【００４６】
図８Ａ〜８Ｃは、様々な実施形態による、図５に示すシリンジ５００の様々な構成要素の動きを示す。一部の実施形態では、内側ピストン５４７は、外側スリーブ５４６から解放されて、遠位方向に滑動し、ピストンの取付部材５４８を第２のプランジャー５３５の取付部材５３７と接触させ、かつ２つの取付部材を一緒にロックさせる。内側ピストン５４７は外側スリーブ５４６にロックされ得るため、それらは、一致して動くように構成され、及び、サムピース５５０に加わる力を受けると、第１のプランジャー５２０を実質的に遠位方向に先端５１０の方へ動かす。第１のプランジャー５２０が動くことによって、第１の区画室５６０内に入れられた第１の流体が先端５１０から押し出されるようにし得る。
【００４７】
様々な実施形態では、第１のプランジャー５２０がシリンジ本体５０５の遠位部分と接触すると、シリンジ本体の遠位部分と第３のシール５２４を形成して、第２の区画室５６５内の第２の流体が、第１のプランジャーの外側の周囲で近位方向に逃げないようにし得る。一部の実施形態では、弁アクチュエータ５１１は、逆止弁５２３と接触すると力を加え、逆止弁を作動させ得る。特定の実施形態では、弁アクチュエータ５１１は、近位方向に力を加えるため、逆止弁を近位方向に第２の区画室５６５内へと動かすことによって、逆止弁５２３が強制作動させる。逆止弁を第２の区画室５６５内へと強制的に動かすことによって、第２の区画室５６５と先端５１０との間の通路が開放するため、第２の流体は第２の区画室から先端まで流れることができる。様々な実施形態では、内側ピストン５４７は、再度外側スリーブ５４６からロック解除され得るため、外側スリーブとは無関係に動くことができる。内側ピストン５４７に力が加えられて、第１のプランジャー５２０内で第２のプランジャー５３５を遠位方向に動かし、それにより、第２の流体を、第２の区画室５６５から、先端５１０を通って押し出し得る。
【００４８】
様々な実施形態では、本明細書で既に説明した通り、シリンジ５００は、逆の送達順序で動作することによって充填され得ることが認識され得る。第２のプランジャー５３５は、内側ピストン５４７によって近位方向に押され、それにより、第２の流体を第２の区画室５６５に引き入れ得る。第２のプランジャー５３５が第１のプランジャー５２０の近位部分に接触すると、近位方向に方向付けられた力が第１のプランジャーを同様に近位方向に引く。第１のプランジャー５２０をシリンジ本体５０５の遠位部分から取り除くことによって、弁アクチュエータ５１１が逆止弁５２３を第１のプランジャー内で遠位方向に滑動させることができ、それにより、第２の区画室５６５の内容物を封止する。本明細書で前述した通り、さらに近位方向に第１のプランジャー５２０に加わる力によって、第１の流体を第１の区画室５６０に引き入れることができ得る。
【００４９】
複数区画室シリンジシステムのさらに他の実施形態は、中空ルーメンと遠位端とを含むシリンジ本体であって、内部に複数の流体を収容するように構成されているシリンジ本体；シリンジ本体の中空ルーメンに位置決めされた第１のプランジャーであって、シリンジ本体の内壁と第１のシールを形成し、かつ第１のプランジャーとシリンジの遠位端との間に第１の区画室を形成する、第１のプランジャー；シリンジ本体の中空ルーメンにおいて第１のプランジャーの近位方向に位置決めされた第２のプランジャーであって、シリンジ本体の内壁と第２のシールを形成し、かつ第１のプランジャーと第２のプランジャーとの間に第２の区画室を形成する、第２のプランジャー；シリンジ本体の内壁、及びシリンジ本体の遠位端に又はその近くにある、第１のプランジャーの周囲に配置された流体バイパスであって、第１の流体が流体バイパスを通って第２の区画室へ流れることができる、流体バイパス；及び第１のプランジャーが第１のシールを形成するように、流体バイパスの近位の位置へ第１のプランジャーを近位方向に動かす機構であって、シリンジ本体の遠位端にある滑動式エンドキャップ、第１のプランジャーを近位方向に押すように構成されたプッシュロッド、及びスリーブの遠位端に又はその近くにありかつ第１のプランジャーの少なくとも１つの磁石又は強磁性材料と磁気的に結合する少なくとも１つの磁石を含むスリーブのうちの１つを含む機構を含む。
【００５０】
図９Ａ〜９Ｂに、複数区画室シリンジのいくつかの実施形態を示す。これらの実施形態によれば、シリンジ９００は、第１の体積区画室９５０と第２の体積区画室９５５との間の流体接続を選択的に制御する可逆的に滑動式エンドキャップ９４０を含み得る。シリンジは、中空ルーメンを有するシリンダー状のシリンジ本体９１０と、シリンジ本体９１０の遠位端の内壁に滑動式に保持される円周壁９４１を含み、かつ流入／流出通路９４５を有するシリンジ先端９４２を有するエンドキャップ９４０とを含む。シリンジ先端９４２は、さらに、当該技術分野で公知の従来のコネクタ、例えばルアーコネクタなどを含んで、先端を、針、カテーテル、又はチューブなどの任意の従来の流体送達装置に接続し得る。シリンジは、さらに、遠位の第１のプランジャー９３０及び近位の第２のプランジャー９２０を含み、ここでは、第２のプランジャー９２０は、ピストン９６０によってサムピース９６５に接続される。第２のプランジャー９２０と第１のプランジャー９３０との間の領域は、第１の体積区画室９５０を規定し、及び第１のプランジャー９３０とエンドキャップ９４０との間の領域は、第１のプランジャー９３０及びエンドキャップ９４０が十分な遠位位置（図９Ａに示すように）にあるときに流体通路９５５’を規定し、かつ第１のプランジャー９３０がエンドキャップ９４０から離れて近位方向に引かれるとき第２の体積区画室９５５を規定する（図９Ｂに示すように）。図９Ａはまた、エンドキャップ９４０が遠位位置にあるときに、流体通路９５５’を介して通路９４５を第１の体積区画室９５０と流体的に接続する流体バイパス９１５を示す。サムピース９６５に近位方向への力「ｂ」を加えることによって、ピストン９６０を動かし、及び第２のプランジャー９２０は近位方向にあり、それにより、フラッシング流体、例えば、食塩水などの第１の流体が、フラッシング流体源から通路９４５及び９５５’及び流体バイパス９１５を通って第１の体積区画室９５０内へと流れることができる。いくつかの非限定的な実施形態によれば、流体バイパスは、シリンジの遠位端の又はその付近のシリンジ本体の内壁の周囲に配置された、複数の、例えば、波状に仕上げられている又は正方形の刻み目に仕上げられている凹部を含み得る。所望量のフラッシング流体が一旦第１の体積区画室９５０内に引き入れられると、シリンジは、医薬品溶液（pharmaceutical solution）、例えば、薬剤、造影剤又は放射性医薬品などの第２の流体を第２の体積区画室９５５内へと吸い込む第２のモードにシフトし得る（図９Ｂに示す）。第２のモードへのシフトは、シリンジエンドキャップ９４０に近位方向の力「ａ」を加えることによって、例えばエンドキャップ９４０の表面を押すことによって、成し遂げられる。力「ａ」によって、エンドキャップ９４０及び円周壁９４１は近位方向に滑動し、シリンジ本体９１０の内壁の縁部に対して封止し、それにより、バイパス９１５を閉鎖及び封止する。シリンジ先端９４２は第２の流体源に取り付けられ、及び第２の流体は、サムピース９６５に近位方向の力「ｂ」を加え、それによりピストン９６０及び第２のプランジャー９２０を近位方向に動かし、及びまた液圧ロックからの液圧���により第１のプランジャー９３０を近位方向に動かすことによって、体積区画室９５５内へと引き入れられる。第２の流体の吸引が完了し、かつ所望量の第２の流体が第２の体積区画室９５５に引き入れられたら、シリンジを使用して、体積区画室９５５にある第２の流体を患者へ送達し、その後、体積区画室９５０にあるフラッシング流体を送達して、流体送達装置をフラッシングし、かつ第２の流体を確実に完全に送達する。図９Ｃに示すように、サムピース９６５に遠位方向の力「ｂ’」を加えることによって、ピストン９６０及び第２のプランジャー９２０を遠位方向に押し進め、それにより、液圧ロックによって第１のプランジャー９３０を遠位方向に押し進め、通路９４５を通って第２の流体を送達する。第１のプランジャー９３０の遠位縁部が、エンドキャップ９４０の内側面に適合し、及び第２の流体が通路９４５を通って実質的に送達されたら、第１のプランジャー９３０は、エンドキャップ９４０を遠位方向にシリンジ本体の端部まで押し進め（力「ａ’」）、それにより、流体バイパス９１５の封止を解いて、開放する。サムピース９６５に遠位方向の力を継続的に加えることによって、体積区画室９５０にあるフラッシング流体の、流体バイパス９１５及び流体通路９５５’及び９４５を通した送達を生じる。この方法によって、このシリンジの様々な実施形態は、フラッシング流体及び医薬品を連続的に吸引し、かつ医薬品を送達し、その後フラッシング流体によって洗い流し得る。
【００５１】
別の実施形態では、図１０Ａ及び図１０Ｂに示すように、シリンジ１０００は、フラッシング流体及び医薬品の連続的な吸引、及び医薬品の送達、その後のフラッシング流体による洗い流しを可能にし得る。この実施形態によれば、シリンジ１０００は、第１の体積区画室１０５０と第２の体積区画室１０５５との間の流体接続を選択的に制御するプッシュロッド１０８０を含み得る。シリンジは、中空ルーメンと、シリンジ本体１０１０の遠位端にプッシュロッド１０８０を含むＴ字状コネクタ１０７０とを有し、及び流入／流出通路１０４５を有するシリンジ先端１０４２を有するシリンダー状のシリンジ本体１０１０を含む。シリンジ先端１０４２は、さらに、当該技術分野で公知の従来のコネクタ、例えばルアーコネクタを含み、シリンジの装填後に、先端１０４２を、任意の従来の流体送達装置、例えば針、カテーテル、又はチューブに接続し得る。シリンジは、さらに、遠位の第１のプランジャー１０３０及び近位の第２のプランジャー１０２０を含み、第２のプランジャー１０２０は、ピストン１０６０によってサムピース１０６５に接続される。第２のプランジャー１０２０と第１のプランジャー１０３０との間の領域は、第１の体積区画室１０５０を規定し、及び第１のプランジャー１０３０とシリンジの遠位端との間の領域は、第１のプランジャー１０３０が十分な遠位位置にあるとき（図１０Ａに示すように）、流体通路１０５５’を規定し、かつ第１のプランジャー１０３０がシリンジの遠位端から離れるように近位方向に引かれるとき（図１０Ｂに示すように）、第２の体積区画室１０５５を規定する。Ｔ字状コネクタ１０７０は、流体通路１０４５を流体入口１０７５と流体的に接続する。図１０Ａはまた、第１のプランジャー１０３０が遠位位置にあるとき、流体通路１０５５’を介して通路１０４５を第１の体積区画室１０５０と流体的に接続する流体バイパス１０１５を示す。サムピース１０６５に近位方向への力を加えることによって、ピストン１０６０及び第２のプランジャー１０２０を近位方向に動かし、それにより、フラッシング流体、例えば、食塩水などの第１の流体を、フラッシング流体源から通路１０７５、１０４５及び１０５５’及び流体バイパス１０１５を通って第１の体積区画室１０５０内へと流す。所望量のフラッシング流体が第１の体積区画室１０５０に一旦引き入れられたら、シリンジは、医薬品溶液、例えば、薬剤、造影剤又は放射性医薬品などの第２の流体を、第２の体積区画室１０５５に引き入れる第２のモードにシフトされ得る（図１０Ｂに示す）。第２のモードへのシフトは、プッシュロッド１０８０に近位方向への力を加えることによって、成し遂げられる。プッシュロッド１０８０に加わる近位方向への力は、封止手段１０３５がシリンジ本体１０１０の内壁の縁部に接触して封止するまで、第１のプランジャー１０３０を近位方向に押し進め、それにより、バイパス１０１５から体積区画室１０５０を封止する。シリンジ先端１０４２は、例えば、Ｔ字状コネクタ１０７０の通路１０７５を介して第２の流体源に取り付けられ、及び第２の流体は、サムピース１０６５に近位方向への力を加え、それによりピストン１０６０及び第２のプランジャー１０２０を近位方向に動かし、及びまた液圧ロックにより第１のプランジャー１０３０を近位方向に動かすことによって、体積区画室１０５５に引き入れられる。さらに、第２の流体は、第１のプランジャー１０３０をプッシュロッド１０８０と一緒に押すと、体積区画室１０５０に引き入れられ得る。プッシュロッド１０８０は、封止手段１０７２によってＴ字状コネクタ１０７０の内壁で封止され、そこを通って流体が漏れないようにする。一旦、第２の流体の吸引が完了しかつ所望量の第２の流体が第２の体積区画室１０５５に引き入れられたら、シリンジを使用して、体積区画室１０５５にある第２の流体を患者に送達し、その後、体積区画室１０５０にあるフラッシング流体を送達して、流体送達装置を洗い流し、かつ第２の流体を確実に完全に送達する。一実施形態では、流体送達は、Ｔ字状コネクタ１０７０の流体通路１０７５に取り付けられた流体送達装置を通して行われ得る。別の実施形態では、流体送達は、Ｔ字状コネクタ１０７０を取り外した後、流体通路１０４５に取り付けられた流体送達装置を通して行われ得る。第２の流体及びフラッシング流体の連続的な送達は、本明細書で説明した図９Ｃのシリンジと同様の方法で生じ得る。すなわち、サムピース１０６５に遠位方向への力を加えることによって、ピストン１０６０及び第２のプランジャー１０２０を遠位方向に押し、それにより、第１のプランジャー１０３０を遠位方向に押し進め、それゆえ、通路１０４２を通して第２の流体を送達する。概ね、第２の流体が実質的に全て送達され、プランジャー封止手段１０３５が一旦流体バイパス１０１５に到達すると、体積区画室１０５０が流体バイパス１０１５に流体的に接続されて、第１のフラッシング流体が、流体バイパス１０１５及び通路１０５５’及び１０４５を通過して患者まで送達され、それと同時にシリンジ及び流体送達装置からの第２の流体の洗い流しすなわちフラッシングも行われる。
【００５２】
複数区画室シリンジの別の実施形態は、第１及び第２の流体の選択的な吸引及び点滴を制御するために磁石の配置構成を有するシリンジを含み得る。図１１Ａ及び図１１Ｂに示すように、シリンジ１１００は、フラッシング流体及び医薬品の連続的な吸引、及び医薬品の送達、その後のフラッシング流体による洗い流しを可能にし得る。この実施形態によれば、第１の体積区画室１１５０と第２の体積区画室１１５５との間の流体接続を選択的に制御するシリンジ１１００。シリンジは、中空ルーメンと、シリンジ本体１１１０の円周を囲み、かつ遠位の第１のプランジャー１１３０及び近位の第２のプランジャー１１２０にある１つ以上の磁石又は強磁性材料１１８０と磁気的に結合する少なくとも１つの磁石１１８５を含むスリーブ１１７０とを有し、及び流入／流出通路１１４５を有するシリンジ先端１１４２を有するシリンダー状のシリンジ本体１１１０を含む。シリンジ先端１１４２は、さらに、当該技術分野で公知の従来のコネクタ、例えばルアーコネクタなどを含み、シリンジの装填後、先端を、任意の従来の流体送達装置、例えば針、カテーテル、又はチューブに接続し得る。第２のプランジャー１１２０は、ピストン１１６０によってサムピース１１６５に接続され得る。第２のプランジャー１１２０と第１のプランジャー１１３０との間の領域は、第１の体積区画室１１５０を規定し、及び第１のプランジャー１１３０とシリンジの遠位端との間の領域は、第１のプランジャー１１３０が十分な遠位位置にあるとき（図１１Ａに示すように）、流体通路１１５５’を規定し、及び第１のプランジャー１１３０がシリンジの遠位端から離れて近位方向に引かれるとき（図１１Ｂに示すように）、第２の体積区画室１１５５を規定する。スリーブ１１７０は、シリンジ１１１０の外側本体を囲み、かつ第１のプランジャー１１３０及び第２のプランジャー１１２０の一方又は両方にある１つ以上の磁石又は強磁性材料１１８０と磁気的に結合する１つ以上の磁石１１８５及び／又は１１８５’を含む。図１１Ａはまた、第１のプランジャー１１３０が遠位位置にあるとき、流体通路１１５５’を介して通路１１４５と第１の体積区画室１１５０を流体的に接続する流体バイパス１１１５を含む。サムピース１１６５に近位方向への力を加えることによって、ピストン１１６０を動かし、及び第２のプランジャー１１２０は近位方向であり、それにより、フラッシング流体、例えば、食塩水などの第１の流体が、フラッシング流体源から通路１１４５及び１１５５’及び流体バイパス１１１５を通って第１の体積区画室１１５０まで流れる。一旦、所望量のフラッシング流体が第１の体積区画室１１５０に引き入れられたら、シリンジは、医薬品溶液、例えば、薬剤、造影剤又は放射性医薬品などの第２の流体を第２の体積区画室１１５５内へと引き入れる第２のモードにシフトされ得る（図１１Ｂに示す）。第２のモードへのシフトは、本明細書で説明するように、スリーブ１１７０を近位方向に滑動させることによって、例えば使用者が手動でスリーブ１１７０を近位方向に引くことによって、又は第２のプランジャー１１２０にある磁石１１８０から近位磁石１１８５’に近位方向への力を加えることによって、成し遂げられ得る。スリーブ１１７０にある遠位の磁石１１８５は、第１のプランジャー１１３０にある遠位の磁石又は強磁性材料１１８０と磁気的に結合し、及びスリーブ１１７０の近位方向の動きはまた、封止手段１１３５がシリンジ本体１１１０の内壁の縁部に接触して封止するまで、第１のプランジャー１１３０を近位方向に動かし、それにより、バイパス１１１５から体積区画室１１５０を封止する。いくつかの実施形態では、スリーブ１１７０にある近位磁石１１８５’は、第２のプランジャー１１３０にある磁石又は強磁性材料１１８０と磁気的に結合し、及びスリーブ１１７０の近位方向の動きは、第２のプランジャー１１３０が近位方向に引かれるために、影響を受け得る。そこで、シリンジ先端１１４２は、第２の流体源に取り付けられ、及び第２の流体は、サムピース１１６５に近位方向への力を加えることによってピストン１１６０及び第２のプランジャー１１２０を近位方向に動かし、さらにまた、液圧ロックにより第１のプランジャー１１３０を近位方向に動かすことによって、体積区画室１１５５に引き込まれる。別の実施形態によれば、体積区画室１１５０にある第１の流体の量は、スリーブ１１７０上の遠位の磁石１１８５と近位磁石１１８５’との間の相対距離によって決定され得る。この実施形態によれば、第１のプランジャー１１３０は十分な遠位位置にあり（図１１Ａに示すように）、及び第２のプランジャー１１２０はまた、第１のプランジャーと接触する十分な遠位位置にある。サムピース１１６５が近位方向に引かれるとき、第１のプランジャー１１２０は近位方向に引かれて、体積区画室１１５０には第１の流体が充填される。第２のプランジャー１１２０にある磁石又は強磁性材料１１８０が、スリーブ１１７０の近位磁石１１８５’の位置に到達すると、磁力が形成され、及び第２のプランジャー１１２０をさらに近位方向に引くことによって、スリーブ１１７０もまた近位方向に引かれることとなり、これにより、第１のプランジャー１１３０は流体バイパス１１１５を越えて近位方向に動き、それにより、第２の流体を体積チャンバー１１５５内へと引き入れる（図１１Ｂに示すように）。さらなる実施形態では、第２の流体の量に対する、シリンジ１１００内に引き入れられた第１の流体の量は、近位磁石１１８５’と遠位の磁石１１８５との間の距離を変更することによって、制御され得る。例えば、一実施形態によれば、スリーブ１１７０は、スリーブ１１７０の遠位セクションと近位セクションとの間にネジ取付部を有するなど、磁石１１８５と１１８５’との間の距離を変更するための調整可能な手段を含んでもよく、ここでは、ネジ取付部は、時計方向又は反時計方向に回されて、磁石１１８５と１１８５’との間の距離を長くしたり又は短くしたりでき、それにより、第１及び第２のプランジャーの磁石又は強磁性材料１１８０がスリーブ磁石１１８５及び１１８５’とそれぞれ引き合うとき、体積区画室１１５０の体積を大きくしたり又は小さくしたりする。一旦、第２の流体の吸引が完了して所望量の第２の流体が第２の体積区画室１１５５に引き入れられると、シリンジを使用して、体積区画室１１５５にある第２の流体を患者に送達し、その後、体積区画室１１５０にあるフラッシング流体を送達して、流体送達装置を洗い流し、かつ第２の流体の完全な送達を確実にする。流体送達は、流体通路１１４５に取り付けられた流体送達装置を通して行われ得る。本明細書で説明するように、第２の流体及びフラッシング流体の連続的な送達は、図９Ｃのシリンジと同様の方法で生じ得る。すなわち、サムピース１１６５に遠位方向への力を加えることによって、ピストン１１６０及び第２のプランジャー１１２０を遠位方向に押し、それにより、第１のプランジャーと第２のプランジャーとの間の磁石結合及び／又は液圧ロックを使用して第１のプランジャー１１３０を遠位方向に押し進めるため、通路１１４５を通して第２の流体を送達する。概ね第２の流体の実質的に全てを送達して、プランジャー封止手段１１３５が一旦流体バイパス１１１５に到達すると、体積区画室１１５０が流体バイパス１１１５に流体的に接続されて第１のフラッシング流体が流体バイパス１１１５及び通路１１５５’及び１１４５を通過して患者まで送達され、それと同時に、シリンジ及び流体送達装置から第２の流体のフラッシングすなわち洗い流しも行われ得る。磁石及び強磁性材料を含むそれらの実施形態では、磁石及び強磁性材料の相対位置の入れ替えは、本開示の範囲内であることを理解されたい。
【００５３】
説明のために様々な実施形態を詳細に説明したが、そのような詳細は、単にその目的のためのものであること、及び本開示は、開示の実施形態に限定されず、反対に、修正例及び均等の配置構成を網羅するものとすることを理解されたい。例えば、本開示は、可能な範囲で、任意の実施形態１つ以上の特徴を任意の他の実施形態の１つ以上の特徴と組み合わせることができることを考慮すること理解されたい。
【符号の説明】
【００５４】
１００  シリンジ
１０１  近位端
１０２  遠位端
１０５  シリンジ本体
１０７  中空ルーメン
１１０  先端
１１５  フィンガーガード
１２０  第１のプランジャー
１２５  第１のシール
１３５  第２のプランジャー
１４０  第２のシール
１３０  接続部片
１４５  ピストン
１５０  サムピース
１５５  凹部
１６０  第１の区画室
１６５  第２の区画室
【図１Ａ】
2016511123.tif 000003
【図１Ｂ】
2016511123.tif 000004
【図２Ａ】
2016511123.tif 000005
【図２Ｂ】
2016511123.tif 000006
【図３（ａ）】
2016511123.tif 000007
【図３（ｂ）】
2016511123.tif 000008
【図３（ｃ）】
2016511123.tif 000009
【図３（ｄ）】
2016511123.tif 000010
【図４】
2016511123.tif 000011
【図５】
2016511123.tif 000012
【図６Ａ】
2016511123.tif 000013
【図６Ｂ】
2016511123.tif 000014
【図６Ｃ】
2016511123.tif 000015
【図６Ｄ】
2016511123.tif 000016
【図７Ａ】
2016511123.tif 000017
【図７Ｂ】
2016511123.tif 000018
【図７Ｃ】
2016511123.tif 000019
【図８Ａ】
2016511123.tif 000020
【図８Ｂ】
2016511123.tif 000021
【図８Ｃ】
2016511123.tif 000022
【図９Ａ】
2016511123.tif 000023
【図９Ｂ】
2016511123.tif 000024
【図９Ｃ】
2016511123.tif 000025
【図１０Ａ】
2016511123.tif 000026
【図１０Ｂ】
2016511123.tif 000027
【図１１Ａ】
2016511123.tif 000028
【図１１Ｂ】
2016511123.tif 000029
【国際調査報告】
2016511123.tif 000030
2016511123.tif 000031
2016511123.tif 000032